(57)【要約】      （修正有）【課題】従来廃棄物として処理していた木材破砕物や穀物廃棄物など天然の廃棄物を用いて備蓄用無臭の軽量薄型の土嚢を提供する。【解決手段】セルロース分が多く分解速度の遅い木材破砕物は予めアルファー化しセルロースを除去したものを使用する。水分を吸収し重量及び容積を増加させる添加材として洗い砂及び生分解性高吸水重合体をそれぞれ用途に応じて配合する。  さらに木炭粉に植えつけた消臭酵母（モトダバイオサイクル  ＫＭ２）を混入したことで腐敗臭や醗酵臭を抑制するため廃棄場所選択の自由度が高くなる。【選択図】図２
2007138690.tif 000002
【特許請求の範囲】
【請求項１】
透水性袋内に木材破砕物及びでんぷん廃棄物などの吸水性有機膨張材と、使用時に重量及び容積を増す機能を有する生分解性高吸水重合体および酵母粉炭（例えばモトダバイオサイクルＫＭ２を付加した木炭粉）を封入し備蓄期間中の防臭・防虫・湿度調整機能を特徴とする土嚢。
【請求項２】
木材屑やバーク材などからセルロースを高圧圧送粉砕機（例えばハッピーマシン）で除去した請求項１記載の木材破砕物を封入することを特徴とした土嚢。
【請求項３】
上記封入材に重量を付加するための無機質重量体（例えば川砂）を封入することを特徴とする請求項１記載の土嚢。
【請求項４】
封入材は水に触れると備蓄時の体積及び重量が約５〜６倍となることを特徴とする土嚢
【請求項５】
酵母粉炭が供用後に泥水及び雑菌を吸収した封入材から発生する臭気を抑え有機質の完全分解を促進せしめ有機肥料として活用することを特徴とした土嚢。
【請求項６】
備蓄期間から供用中・供用後まで環境負荷が少なく循環性材料を封入した請求項１、請求項２及び請求項３記載の土嚢。
【発明の詳細な説明】
【技術分野】
【０００１】  本発明は、家屋や建造物等への浸水防止目的に使用する土嚢に関する。
【背景技術】
【０００２】  従来土嚢の用途は▲１▼河川堤防決壊の緊急補強材や▲２▼家屋や建造物などへの一時的浸水防止材や▲３▼斜面盛り土の安定化などに使われており、麻袋に土砂を詰めた俵状のものであった。この土嚢は安価で遮水効果が高い利点があるが、緊急の場合土砂の人手や作業時間の遅れによる浸水被害に合うケースがあった。特に市街地では土砂の手当てが困難であり、予め備蓄する場合は大きな空間が必要であった。【０００３】  近年高分子吸水ポリマーなどの化学物質の開発により運搬時は薄型で軽量な備蓄用土嚢が開発されている。この土嚢は封入物が給水することにより膨張し機能を発揮する。（特許文献１、特許文献２参照）
さらに環境に優しいものとして穀物澱粉や食物タンパク質粉末どの有機物と生分解性樹脂の混合物を封入物に使った土嚢が開発されてきた（例えば、特許文献３．特許文献４．特許文献５．特許文献６参照）【０００３】
【特許文献１】特開２００２−０９６４２５
【特許文献２】実願２００２−５６８６
【特許文献３】特願２００２−９７６１４
【特許文献４】特願２００２−３６７４５
【特許文献５】特願２００３−３３４０２
【特許文献６】特願２００５−２０１３４４
【発明の開示】
【発明が解決しようとする課題】
【０００４】  本発明は都市部の住宅や地下鉄などの浸水対策用として、軽量で薄型の膨張性備蓄用土嚢である。供用後は有機肥料として活用することができる。【０００５】  従来の土嚢は水害発生時に準備するもので、麻袋に付近の土砂を入れ封入したものであったが、都市部においては士砂の確保が容易でなく備蓄に適さないことで新たな土嚢が開発されている。例えば、高吸水機能ポリマーを封入物とした軽量で薄型の膨張性土嚢や穀物や植物破砕物などを混合した有機性封入物とした膨張性土嚢が提供されているが、いずれも土嚢の処理に問題があった。【０００６】  備蓄用土嚢の封入物として高吸水ポリマーなどの無機物を使ったものは、反復使用の利点がある反面、廃棄するに当って産業廃棄物扱いとなり処理コストが大きいことが欠点であった。【０００７】  また生分解樹脂と植物破砕物と食品粉末などを混合した環境循環型と称する土嚢も見受けられるが封入物が泥水中の雑菌によって発生する臭気が近隣住民に与える苦痛が大きいなどいずれも欠点があった。
その改良品として雑菌の繁殖抑制効果を期待し、封入物にヒノキ材混入した改良型土嚢の効果を確認したが高温多湿な環境では内容物の腐敗などによる臭気抑制効果は不十分であった（特許文献７参照）
【特許文献７】ＰＣＴ／ＪＰ２００５／１４６４０
【０００８】  本発明は、従来の有機物を封入した膨張性土嚢の問題を解決しようとするものである。【０００７】  乾燥状態での比重及び容積の小さく、水を吸収して膨張する有機性の土嚢である。封入物は澱粉粉末や食物繊維及び木材チップやバーク材などの植物破砕物およびでんぷん廃棄物を利用するが、備蓄期間及び供用後も泥水を吸収した封入物からの臭気の発生を抑えることを特徴とする。雑菌によって発生する臭気を抑え、使用後は有機肥料としてどのような環境にでも活用できることを特徴とした軽量・薄型の完全な環境循環型無臭膨張性の備蓄用土嚢を提供する。
【課題を解決するための手段】
【０００８】  そして、本発明は上記目的を達成するために以下のような材料を組み合わせた土嚢を提供する。【０００９】  袋は麻袋など自然に分解するものを利用する。【００１０】  封入物は従来産業廃棄物とされていた豆腐のオカラ、穀類、建設廃材・木工廃材・バーク材・木材チップなどの植物など処理に困っていた有機物破砕物に、重量を増すための川砂や膨張材としての生分解性高吸水重合体を混合する。【００１１】  さらに汚泥を吸収した封入物の醗酵分解の際発生する臭気を抑制し消去する目的で優れた消臭酵素（モトダバイオサイクルＫＭ−２）と木炭粉から構成される酵母菌を添加した。（非特許文献１）【００１２】  セルロース含有量の多い木材類等は予め高圧圧送粉砕機（ハッピーマシン）を通すことにより、セルロースを除去しアルファー化して使用する。これによって水分吸収早く且つ均一に浸透して膨張が均等化される効果がある。更に使用後は分解が促進され有機肥料として活用できるし焼却処理も可能である（非特許文献２）。【００１３】
【非特許文献１】日本環境整備株式会ホームページ  ｈｔｔｐ：／／ｗｗｗ．ｍｏｔｏｄａ−ｂｉｏ．ｃｏｍ
【非特許文献２】佐藤マシナックス工商株式会社  ホームページ  ｈｔｔｐ：／／ｗｗｗ．ｍａｃｈｉｎａｘ．ｊｐ／
【発明の効果】
【００１１】  この発明は前記のように構成されており、以下のような効果を発揮する。【００１２】    土嚢を構成しているものが、使用後は分解する少量の生分解性高吸水重合体と総て乾燥した天然素材であることで、常温中での備蓄が可能である。【００１３】  従来、処理費用が高く産業廃棄物とされていた豆腐オカラなどの穀類やコンニャク製造時の穀物澱粉や食物タンパク質粉末どの有機物、および森林の間伐材、バーク材、植木の剪定くず、製材くず、建設廃木材などのセルロースの含有量の多い植物破砕物を封入物として活用できる。【００１４】  有機物は混入した消臭酵母菌によって臭気の発生がなく完全に分解され、生分解性高吸水重合体も消滅する。従って土嚢の使用後は有機肥料として活用できまた、廃棄処理する場所は全く制約がない。【００１５】  封入物の材料は従来廃棄処理されていた穀物澱粉や木材破砕物が主要材料であり、廃棄処理の手間が省けるとともに環境循環型製品となり土嚢の製作コストは従来品より著しく安価となる。【００１６】  製造時の概略外形寸法および重量は、幅４０ｃｍ、長さ６０ｃｍ、厚さ３ｃｍで重量は５ｋｇであり、吸水した使用時の状態では厚さ１８ｃｍ程度、重量が２５ｋｇ程度となる。
【発明を実施するための最良の形態】
【００１７】  以下、本発明の実施の形態を図１〜図３に基づいて説明する。【００１８】  土嚢１の封入物として麻袋などの植物繊維で作った透水性袋２内に穀物澱粉やアルファー化した木材破砕物と重量調整用の洗い砂、膨張調整用の生分解性高吸水重合体および粉炭にモトダバイオサイクルＫＭ２を重合した消臭酵素とを製造システムで混合しホッパーに貯蔵する。【００１９】  土嚢連続製造装置のホッパーから出た封入物は、自動的に袋詰され圧縮装置で所定の形状寸法に成型し梱包され、浸水災害時などの遮水対策用の備蓄物として保管される。【００２０】  浸水災害が予想される時点で、本土嚢で止水堰堤として配置する。【００２１】  初期浸水を土嚢が吸収、膨張し自立した止水堰堤として機能する。【００２２】  水位が低下した状態で土嚢を撤去するが、土嚢は洪水時汚水等の浸水による水中の有害微生物も吸収しており、通常では腐敗臭気が発生する可能性が高い。【００２３】  しかし、本発明の土嚢には、粉炭にモトダバイオサイクルＫＭ２を重合した消臭酵素が混入されており、その働きにより嫌気性微生物による腐敗を防止しながら土嚢の無臭分解が促進され自然に帰る循環型製品である。従って有機肥料として庭や田畑への有効活用ができる。【００２４】  麻袋も封入物より若干遅れて分解される自然に帰る循環型製品である。
【図面の簡単な説明】
【００２１】
【図１】本発明の土嚢の外観図
【図２】本発明の土嚢の断面図で給水膨張した状態を示す。
【符号の説明】
【００２１】  １  麻袋
２  木材破砕物
３  砂その他の封入物
【図１】
2007138690.tif 000003
【図２】
2007138690.tif 000004
【手続補正書】
【提出日】平成18年5月30日(2006.5.30)
【手続補正１】
【補正対象書類名】特許請求の範囲
【補正対象項目名】全文
【補正方法】変更
【補正の内容】
【特許請求の範囲】
【請求項１】
透水性袋内に、植物繊維又は植物粉からなる吸水性を有する吸水性有機材と、吸水により重量及び容積を増す生分解性高吸水重合体と、無機物重量体とを封入した土嚢において、前記透水性袋内に消臭酵母菌を添加した粉炭を封入したことを特徴とする土嚢。
【請求項２】
前記消臭酵母菌が、モトダバイオサイクルＫＭ２（商標）であることを特徴とする請求項１記載の土嚢。
【請求項３】
前記吸水性有機材が、セルロースを高圧圧送粉砕機で除去した木材破砕物であることを特徴とする請求項１または２記載の土嚢。
【手続補正２】
【補正対象書類名】明細書
【補正対象項目名】全文
【補正方法】変更
【補正の内容】
【発明の詳細な説明】
【技術分野】
【０００１】
本発明は、家屋や建造物等への浸水防止目的に使用する土嚢に関する。
【背景技術】
【０００２】
従来、土嚢の用途は、河川堤防決壊の緊急補強材や家屋や建造物などへの一時的浸水防止材、および斜面盛り土の安定化などに使われており、麻袋に土砂を詰めた俵状のものであった。この土嚢は安価で遮水効果が高い利点があるが、緊急の場合、土砂の入手や作業時間の遅れによる浸水被害に合うケースがあった。特に市街地では土砂の手当が困難であり、予め備蓄する場合は大きな空間が必要であった。
【０００３】
近年、高分子吸水ポリマーなどの化学物質の開発により、運搬時は薄型で軽量な備蓄用土嚢が開発されている。この土嚢は、封入物が吸水することにより膨張し機能を発揮する（例えば特許文献１、特許文献２参照）。また、環境に優しいものとして、穀物澱粉や食物タンパク質粉末などの有機物と生分解樹脂の混合物を封入物に使った土嚢およびコンポスト用生分解性樹脂組成物が開発されてきた（例えば、特許文献３、特許文献４参照）。
【特許文献１】特開２００２−０９６４２５号公報
【特許文献２】登録実用新案３０２３９４５号公報
【特許文献３】特開２００２−０９７６１４号公報
【特許文献４】特開２００４−００２６８７号公報
【発明の開示】
【発明が解決しようとする課題】
【０００４】
しかしながら、生分解樹脂と植物破砕物と食品粉末などを混合した循環環境型と称する土嚢は、封入物が泥水中の雑菌によって発生する臭気が近隣住民に与える苦痛が大きいという問題点があった。その改良品として、雑菌の繁殖抑制効果を期待し、封入物にひのき材を混入した改良型土嚢の効果を確認したが、高温多湿な環境では内容物の腐敗などによる臭気抑制効果は不十分であった。
【０００５】
本発明は、このような従来の有機物を封入した膨張性土嚢の問題を解決しようとするものであり、軽量・薄型で環境循環型無臭膨張性の備蓄用土嚢を提供することを目的とする。
【課題を解決するための手段】
【０００６】
本発明は、上記目的を達成するために、透水性袋内に、植物繊維又は植物粉からなる吸水性を有する吸水性有機材と、吸水により重量及び容積を増す生分解性高吸水重合体と、無機物重量体とを封入した土嚢において、前記透水性袋内に、消臭酵母菌を添加した粉炭を封入したものである。
【０００７】
透水性袋として、例えば麻袋など自然に分解するものを利用できる。また、吸水性有機材として、従来産業廃棄物とされていた豆腐のおから、こんにゃく製造時の穀物澱粉、食物たんぱく質粉末、穀類および森林の間伐材、植木の剪定くず、建設廃材、木工廃材、バーク材、木材チップなどの植物粉又は植物繊維などが利用できる。また、膨張材として生分解性高吸水性重合体を利用でき、重量を増すための無機物重量体として川砂を利用できる。
【０００８】
また、本発明は、汚泥を吸収した封入物の発酵分解の際に発生する臭気を抑制し消去するために、消臭酵母菌であるモトダバイオサイクルＫＭ−２（商標、日本環境整備株式会社製）を添加した粉炭を透水性袋に封入したものである。本発明は、乾燥状態での比重及び容積が小さく、水を吸収して膨張する有機性の土壌であり、封入物は澱粉粉末や食物繊維及び木材チップやバーク材などの植物破砕物または澱粉廃棄物を利用するが、封入物として消臭酵母菌であるモトダバイオサイクルＫＭ−２を添加した粉炭を混入したことにより、備蓄期間及び供用後も泥水を吸収した封入物からの臭気の発生を抑えることができる。雑菌によって発生する臭気を抑えることにより、使用後は有機肥料としてどのような環境にも活用することができる。
【０００９】
また、本発明は、吸水性有機材としてセルロース含有量の多い木材類等を使用する場合は、予め高圧圧送粉砕機を通すことにより、セルロースを除去しアルファー化して使用する。これによって、水分吸収が速く且つ均一に浸透して膨張が均等化される効果がある。更に、使用後は分解が促進され、有機肥料として活用できるし、焼却処理も可能である。
【発明の効果】
【００１０】
本発明は、透水性袋内に封入する封入物として消臭酵母菌を添加した粉炭を混入したものであり、有機物は混入した消臭酵母菌によって臭気の発生がなく完全に分解され、生分解性高吸水重合体も消滅する。従って土嚢の使用後は、有機肥料として活用でき、また廃棄処理する場所の制約もなくなる。
【発明を実施するための最良の形態】
【００１１】
以下、本発明の実施の形態を図１および図２に基づいて説明する。図１および図２において、土嚢の封入物として、麻袋などの植物繊維で作った透水性袋１内に、穀物澱粉やアルファー化した木材破砕物２と、重量調整用の洗い砂、膨張調整用の生分解性高吸水重合体および消臭酵母菌としてモトダバイオサイクルＫＭ２を添加した木炭粉等の他の封入物とを製造システム内の装置で混合し、ホッパーに貯蔵する。
【００１２】
土嚢連続製造装置のホッパーから搬送された封入材料は、自動的に袋詰され、圧縮装置で所定の形状寸法に成型し梱包され、浸水災害時などの遮水対策用の備蓄物として保管される。
【００１３】
浸水災害が予想される時点で、この土嚢を止水堰堤として配置することにより、初期浸水を土嚢が吸収し膨張し、自立した止水堰堤として機能する。
【００１４】
水位が低下した状態で土嚢を撤去する。土嚢は洪水時汚水等の浸水による水中の有害微生物も吸収しており、通常では腐敗臭気が発生する可能性が高いが、本実施の形態における土嚢には、粉炭にモトダバイオサイクルＫＭ２という消臭酵母菌が混入されており、その働きにより嫌気性微生物による腐敗を防止しながら土嚢の無臭分解が促進される。従って、有機肥料として庭や田畑への有効活用ができる。麻袋も封入物より若干遅れて分解される。
【００１５】
本実施の形態における土嚢の製造時の概略外形寸法および重量は、幅４０ｃｍ、長さ６０ｃｍ、厚さ３ｃｍで重量は５ｋｇであり、吸水した使用時の状態では、厚さ１８ｃｍ程度、重量が２５ｋｇ程度となる。
【図面の簡単な説明】
【００１６】
【図１】本発明の実施の形態における土嚢の備蓄時の外観図である。
【図２】本発明の実施の形態における土嚢の断面図で、吸水膨張した状態を示す。
【符号の説明】
【００１７】
１  透水性袋
２  木材破砕物
３  他の封入物